(57)【特許請求の範囲】
【請求項１】
相手方のコネクタの端子との接続部を有すると共に該接続部の上面に設けられた逆差し防止用の突起を有する端子と、該端子を収容すると共に前記突起を受容する逃げ溝を有する端子受容通路の側部に開口を有する絶縁ハウジングと、前記開口に取付けられて、前記端子を係止する係止部材とを具備する電気コネクタであって、前記係止部材には後部から前方に向けて延びる基部が形成され、該基部は、該基部の先端部上面に前方且つ下方へ傾斜する第１傾斜面と、前記端子の不完全挿入時に前記開口の端壁に当接し、前記端子の完全挿入時に前記逃げ溝内に位置する、前記第１傾斜面上に前端側へ偏倚して設けられた突部とを有する電気コネクタにおいて、
前記基部は、該基部の前記第１傾斜面の前端に前記第１傾斜面より大きな傾きで下方へ傾斜する傾斜面を有し、
前記突部は、該突部の前端且つ前記傾斜面の上に前方且つ上方へ傾斜する第２傾斜面を有し、
前記係止部材を完全に挿入したとき、前記基部の前端の前記傾斜面および前記突部の前記第２傾斜面の境界部分が、前記端子の前記接続部後端の肩に当接して前記端子を抜け止めすることを特徴とする電気コネクタ。
【請求項２】
前記係止部材は、前方に延びる平板状の延長部を含み、
前記基部は、前記延長部を補強するように前記延長部の下面に延びることを特徴とする請求項１記載の電気コネクタ。
【請求項３】
前記開口の端縁にはテーパを設け、
前記係止部材を挿入するとき、該係止部材の前記第１傾斜面が前記テーパにより案内されることを特徴とする請求項１または２記載の電気コネクタ。
【発明の詳細な説明】
【０００１】
【発明の属する技術分野】
本発明は電気コネクタに関し、特に端子を係止する係止部材を有する電気コネクタに関する。
【０００２】
【従来の技術】
端子を係止する為の係止部材を有する電気コネクタの従来例としては、特開平９−７６７６号明細書に開示された発明が公知である。この電気コネクタ１００には、図６に示す如く、前端に凸部１０２を有する係止部材１０４が設けられている。この係止部材１０４が、ハウジング１０８の側部に設けられた開口１１０に取付けられると、凸部１０２がハウジング１０８の開口１１０に侵入してキャビティ（端子受容通路）１１２の上側内壁に接する様配置される。これにより凸部１０２で端子を保持すると共に、係止部材１０４の浮き上がりが阻止される。
【０００３】
【発明が解決しようとする課題】
上述の従来例においては、凸部１０２の全体がキャビティ１１２の内壁に接するので、壁厚を薄くしなければ、コネクタ１００の外形寸法は大きなものになってしまう。また、コネクタを小型化しようとすれば、壁厚を薄くしなければならないので、係止部材１０４の係止強度が低下してしまうという問題が生じる。更に、端子（図示せず）が半挿入の場合は検知しやすいにしても、完全挿入の場合には突部１０２の先端が開口１１０の端縁に引っ掛かって、入れにくいという問題が生じる虞がある。
【０００４】
本発明は、以上の点に鑑みてなされたものであり、小型のコネクタでありながら係止部材の係止強度が大きい電気コネクタを提供することを目的とする。
【０００５】
また、端子が半装着のときは、確実にその半装着を検知でき、完全挿入のときは係止部材を円滑に最終位置まで挿入できる電気コネクタを提供することを目的とする。
【０００６】
本発明の電気コネクタは、相手方のコネクタの端子との接続部を有すると共に該接続部の上面に設けられた逆差し防止用の突起を有する端子と、該端子を収容すると共に前記突起を受容する逃げ溝を有する端子受容通路の側部に開口を有する絶縁ハウジングと、前記開口に取付けられて、前記端子を係止する係止部材とを具備する電気コネクタであって、前記係止部材には後部から前方に向けて延びる基部が形成され、該基部は、該基部の先端部上面に前方且つ下方へ傾斜する第１傾斜面と、前記端子の不完全挿入時に前記開口の端壁に当接し、前記端子の完全挿入時に前記逃げ溝内に位置する、前記第１傾斜面上に前端側へ偏倚して設けられた突部とを有する電気コネクタにおいて、前記基部は、該基部の前記第１傾斜面の前端に前記第１傾斜面より大きな傾きで下方へ傾斜する傾斜面を有し、前記突部は、該突部の前端且つ前記傾斜面の上に前方且つ上方へ傾斜する第２傾斜面を有し、前記係止部材を完全に挿入したとき、前記基部の前端の前記傾斜面および前記突部の前記第２傾斜面の境界部分が、前記端子の前記接続部後端の肩に当接して前記端子を抜け止めすることを特徴とする。
【０００７】
前記係止部材は前方に延びる平板状の延長部を含み、前記基部は前記延長部を補強するように該延長部の下面に延びることが望ましい。
【０００９】
前記開口の端縁にはテーパを設け、前記係止部材を挿入するときは係止部材の第１傾斜面が開口の前記テーパにより案内されることが望ましい。
【００１０】
【発明の実施の形態】
以下、本発明の好適な実施の形態について添付図を参照して詳細に説明する。
【００１１】
図１は、本発明の電気コネクタ（以下、単にコネクタという）１の絶縁ハウジングの平面図である。図２は、係止部材１０をハウジング２に取付けた状態を示す、電気コネクタ１の部分拡大側面図である。図３は、係止部材１０を示し、（ａ）は平面図、（ｂ）は（ａ）図の矢視Ｄから見た正面図、（ｃ）は図１（ｂ）のＣ−Ｃ線に沿う拡大断面図である。
【００１２】
まず図１を参照すると、コネクタ１の絶縁性のハウジング２は、嵌合面４から後端６に至る、端子８０（図４、図５）を受容する為の端子受容通路（以下、単に通路という）８（図４、図５）を有する。ハウジング２の上面１２の略中央には、相手方のコネクタと係合する為の突起１６を有するラッチアーム１４が形成されている。この構成は既知のものであるので詳細な説明は省略する。ハウジング２の側面１８には係止部材１０を仮係止位置に保持する仮係止用突起２０が突設されている。ハウジングの上面１２には係止部材１０が配置される開口２２が設けられている。開口２２内には各キャビティ、即ち通路８を形成する隔壁２４が見える。隔壁２４には片側上部で内方に突出するリブ、即ち庇２６が開口２２の部分に形成される。これは後端から端子８０が斜め上方に挿入された場合、開口２２から上方に飛び出すことを阻止する為に設けられている。
【００１３】
次に図２、及び図３を参照すると、係止部材１０は、ハウジング２の後部上面の仮係止位置に取付けられている。ここで図３の係止部材１０は、便宜上、ラッチアーム１４のない反対側のものを示しているが、基本的に同様の係止構造を有している。係止部材１０の両端の翼３０には矩形の開口３２が形成され、この開口３２と突起２０が係合して、仮係止位置に係止されている。係止部材１０は、本体３４から前方に突出する延長部３６を有し、延長部３６の下面には後部から前方に向けて基部３８が形成される。基部３８の先端部は延長部３６から突出し、先端部の上面には前方、且つ下方に傾斜した傾斜面（第１傾斜面）３８ａが形成される。他方、基部３８の先端部は図３（ｃ）に示す如く、下向きに傾斜した傾斜面３８ｂとなっている。基部３８の傾斜面３８ａには前方斜め上方に傾斜した傾斜面（第２傾斜面）４０ａを有する突部４０が偏倚して突設される。本体３４の傾斜した下面３４ａは、ハウジング２の後端部の上面に形成された傾斜面４２に沿って矢印Ａの方に移動する。翼３０の下端には上向き面４４ａを有するフック４４が形成されている。このフック４４は、上向き面４４ａがハウジング２の側面１８の後部に形成された第１下向き段部４６と係合して案内される。このように係止部材１０の下面３４a、上向き面４４aは、ハウジング２の傾斜面４２、下向き段部４６の外側に沿って移動する。換言すれば係止部材１０は、傾斜面４２及び下向き段部４６を跨いで、恰もレール上を移動するようにＡ方向に移動する。係止部材１０が完全に挿入された位置、即ち本係止位置にくると、フック４４の上向き面４４ａは、第２下向き段部４８と係合して係止される。この時本体３４の後端部３４ｂは開口２２の後端縁２２ａと係合し、抜け止めがなされる。
【００１４】
次に、図４、及び図５に係止部材１０を使用したコネクタ１の断面図を示す。図４は端子８０が不完全挿入の場合の係止部材１０の位置を示し、図５は端子８０が完全に挿入されたときの係止部材１０の位置を示す。通路８は上下２列形成されているが、実質的に同じ構成なので上側の通路８のみについて説明する。まず図４を参照すると、端子８０は、ハウジング２の通路８の途中まで挿入され、端子８０の接続部８２の上面８６に設けられた逆差し防止用の突起８４が、それを受容する逃げ溝５０の入口近傍に位置する。この為係止部材１０を挿入しようとしても、係止部材１０の基部３８の先端部は端子８０の上面８６に当接し、又、突部４０の先端の傾斜面４０ａは開口２２の前端縁２２ｂに当接するので、侵入が阻止され、端子８０が完全に挿入されていないことが判明する。開口２２の前端縁２２ｂにはテーパ５４が形成されているが、傾斜面４０ａはこのテーパ５４にかからないので、侵入は確実に阻止される。これにより、基部３８が頂壁５８と端子８０の間に潜り込むことが阻止される。
【００１５】
次に図５を参照すると、端子８０は通路８内に完全に挿入され、ハウジングランス５２により端子８０は一次係止される。この態様については既知の構成であるので詳細は説明しない。接続部８２は逃げ溝５０より内方に位置するので、係止部材１０は開口２２内に侵入でき、基部３８の傾斜面３８ａは、テーパ５４により案内されて、図５において左方向に移動し、係止部材１０により端子８０が係止される。そして、基部３８の前端部の傾斜面３８ｂと突部４０の傾斜面４０ａの境界部分が、接続部の後端の肩８８に当接し抜け止めとなることが望ましい。突部４０は、逃げ溝５０内に位置し、本体３４の後端部３４ｂは、開口２２の後端縁２２ａ内に位置する。
【００１６】
以上、本発明の好適な実施の形態について詳細に説明したが、上記の実施形態に限定されるものではない。逃げ溝の断面形状は、矩形、或は円形の一部を構成する湾曲形状でもよい。
【００１７】
【発明の効果】
本発明のコネクタは、係止部材の前端部には、前方下方に向けて傾斜する第１傾斜面を含む基部が形成されると共に、基部には端子の不完全挿入時に開口の端壁に当接し、端子の完全挿入時には逃げ溝内に位置する、前方上方に傾斜する第２傾斜面を含む突部を設ける構成としたので、小型のコネクタでありながら係止強度が大きい電気コネクタが得られる。
【図面の簡単な説明】
【図１】図１は、本発明の電気コネクタの絶縁ハウジングの平面図である。
【図２】図２は、係止部材をハウジングに取付けた状態を示す、電気コネクタの部分拡大側面図である。
【図３】図３は、係止部材を示し、（ａ）は平面図、（ｂ）は正面図、（ｃ）は図１（ｂ）のＣ−Ｃ線に沿う拡大断面図である。
【図４】図４は端子が不完全挿入の場合の係止部材の位置を示す断面図である。
【図５】図５は端子が完全に挿入されたときの係止部材の位置を示す断面図である。
【図６】従来例を示す斜視図である。
【符号の説明】
１    電気コネクタ
２    絶縁ハウジング
８    端子受容通路
１０  係止部材
２２  開口
３８  基部
３８ａ  第１傾斜面
４０  突部
４０ａ  第２傾斜面
５０  逃げ溝
８０  端子
８４  逆差し防止用の突起
【図１】
0003690934.tif 000002
【図２】
0003690934.tif 000003
【図３】
0003690934.tif 000004
【図４】
0003690934.tif 000005
【図５】
0003690934.tif 000006
【図６】
0003690934.tif 000007